(57)【要約】【課題】自らの足を動かし、指先・土踏まず・踵・側部など足裏全体を強弱自在に押圧し揉みほぐして、短時間で血行と疲労回復を促進させ、忙しい方でも就寝前のわずか４〜５分間の使用で翌朝の足裏の爽快感を楽しめる足裏マッサージ器を提供する。【解決手段】直径の異なる複数のローラーを足裏の起伏に合わせて並べ、その並んだローラー群を支持板にて回動可能に挟持して移動体を構成し、同移動体を容器本体内に前後動自在、且つ着脱可能に納置する。【選択図】図１
2010115459.tif 000002
【特許請求の範囲】
【請求項１】
直径の異なる複数のローラーを所要の位置に並べ、このローラー群の両端部に位置するローラーに支持軸を回動可能に軸通し、対向する両内側の各所要位置に支持片と軸受け部とを形成した支持板を用いて、前記ローラー群を回動可能に前記支持軸を回動不能に挟持して移動体を構成し、さらに容器本体を設け、同容器本体内のスペースに前記移動体を前後動自在、且つ着脱可能に納置したことを特徴とする足裏マッサージ器。
【発明の詳細な説明】
【技術分野】
【０００１】  本発明は、自らの足を動かして足裏を押圧マッサージする非電動の足裏マッサージ器に関するものである。
【背景技術】
【０００２】  従来、図５に示すように、表面をピラミッド状に突起させたローラーハに軸ニを通して台座ロに取り付け、同ローラーハに足を乗せ膝を使って前後に動かし足裏を押圧する、ピラミッド状に突起したローラーによる足裏押圧器イが知られている（特許文献１参照）。
【特許文献１】特開２００５−２８０６３号広報。
【発明の開示】
【発明が解決しようとする課題】
【０００３】  上記した足裏押圧器にあっては、ローラーハが軸ニによって台座ロに固定されて転動しないため立った姿勢での使用は難しく、椅子などに座してローラーハに足を乗せ膝を使って押圧マッサージを行なうことになる。
しかし、足裏を強く押圧する場合、膝に力を込めて足裏をローラーハに押しつけるため膝関節に負荷が掛かり、利用者に余計な負担と不満感を与えることになる。
他方、ゴムシートの表面や半円筒形の基台表面などに大小の突起を設けて、立ったまま足で踏む足裏マッサージ具等もあるが、これらは押圧効果はあっても足裏を揉みほぐす効果はあまり期待できない。
以上のように非電動の簡易な足裏マッサージ器等は、安価で手軽に使える利点はあるが機能的に十分とは言えなかった。【０００４】  それでも、非電動のマッサージ器は手軽に使えて継続しやすいと愛用してる人も多く、それに、足の疲労だけを取りたい方、忙しくて足のマッサージをする暇もない勤労者、そして、仕事や家事や子供の世話でゆっくりマッサージも出来ない若い主婦など、毎日が忙しい方々は、ハイクラスのマッサージ器よりも、操作をせずに直ぐに使えて時間の掛からないリーズナブルなマッサージ器を求める傾向にある。
そこで、本発明の目的は、非電動の利点を生かした機能を用い、わずか４〜５分間の使用時間で足裏全体を押圧し揉みほぐして、血行と疲労回復を促進できる非電動の足裏マッサージ器を提供することにある。
【課題を解決するための手段】
【０００５】  上記を達成するためには、非電動でも強い押圧力と揉みほぐしの機能を備える必要があるため、本発明は、利用者の体重を利用した強い押圧力と、足裏の揉みほぐしに最適なローラーを用いるものとした。
そこで、立って使用する利用者の足を安定して支えるための多数のローラーと、同ローラーを土踏まずなどの凹部にも当接するよう、ローラー径に大小を設けることにした。
また、足を動かす際に膝や股関節に負荷が掛からぬよう、ローラーを固定せずに転動させる方式とし、さらに、使いやすさと安全性を確保するため、上方が開口した容器内にローラーを納置する手段を設けることとした。【０００６】  上記を構成するには、長さが等しく直径の異なるローラーを所要の位置に並べ、ローラー群の両端部に位置するローラーに支持軸を回動可能に軸通する。
そして、対向する両内側の各所要位置に、支持片と軸受け部とを形成した一対の支持板を設け、同支持板を用いて前記ローラー群を回動可能に、前記支持軸を回動不能に挟持して移動体を構成する。
さらに、容器部と蓋体からなる容器本体を設けて、同容器部内のスペースに前記移動体を前後動自在、且つ着脱可能に納置して蓋体を冠着する。
以上のように構成することで、ローラー群の上半部に起伏が形成され、この起伏の作用とローラーの転動を特徴とする非電動の足裏マッサージ器を提供するものである。
【発明の効果】
【０００７】  ローラー径の大小による起伏が足裏全体にフィットして、一回の往復転動で指先から踵まで足裏の全域がマッサージされ、同時に体重による足裏への押圧とローラーの転動による揉みほぐし作用によって、足裏の血行と疲労回復を短時間で促す効果がある。
また、長時間のデスクワークや運動不足で鬱血した足などを、自らの足を動かすマッサージ作用により、合理的に血行を促進させる効果がある。
さらに、片方の足に体重を載せることにより、足裏への強弱自在の押圧ができ、足ツボの指圧を好む方などにも応えることができる。
そして、ローラーを転動させたことにより膝や股関節への負荷が軽くなり、さらに、容器内にてローラーの転動域を制限し、且つ接地して転動するローラーが空回りしないため立った姿勢でも安全に使用できる利点がある。
【発明を実施するための最良の形態】
【０００８】  以下、本発明の実施の形態について図面にもとづき説明する。
本発明は、図１、図２に示されるように、主体となる移動体（Ａ）を容器本体（Ｂ）内に納置したもので、同移動体（Ａ）の構成は、長さが等しく直径の異なる大小のローラーを足裏の起伏に合わせて並べ、その並べたローラー群（１）を対の支持板（２）にて挟持したものである。
従って、ローラー群（１）の上半部には、大小のローラーにより起伏が形成され、この起伏の往復動と体重の重さが相まって足裏を押圧し波状に揉みほぐすことで、足の起伏や大きさに多少の差があってもマッサージ効果はそれほど変わらない。
しかし、標準規格に整合しない足サイズの方もおり、起伏の異なるローラー群（１）の移動体（Ａ）を数タイプ準備することも考慮する。【０００９】  そのローラー径の太さ及び位置の設定は、図２に示されるように、実寸大の足裏の側面図（Ｘ）と床面線（Ｙ）を用い、各ローラーが接触しない適度な間隔を設け、足裏の起伏に整合するローラー径を選択し、ローラー群（１）の直径と所要位置が設定されている。
但し、素足で使用する際に、ローラー（１ａ）とローラー（１ｂ）との隙間に、第四指と第五指の指腹を巻き込む恐れがあるため、同隙間に限り２ミリ程の間隔としている。
また、支持板（２）の下縁（３）が、床面線（Ｙ）に接触しないようローラー群（１）の天低部（Ｚ）の位置を下縁（３）よりも２ミリほど突出させている。
そして、使用するローラーは、軽くて硬質で錆びない合成樹脂製の中空円筒を用いるのが望ましく、長さは１５０ミリ程度が適当であり、ローラーの外径や内径は足裏の起伏によって異なるため任意としている。
なお、ローラーによる足裏への刺激や感触をより高めるため、ローラーの表面に突起や線状を設けるのもよい。【００１０】  上記したローラー群（１）を両側から挟持する支持板（２）は、図３に示されるように対になっており、高さは最大径ローラー（１ｃ）の直径と同程度とし、長さは先端部ローラー（１ｄ）と後端部ローラー（１ｅ）の両端まで、厚さは板の材質にもよるが５ミリ程度が適当である。
この支持板（２）は外側を平面とし、内側は所要数の支持片（４）と軸受け部（５）が各々の所要位置に対称に設けられており、支持片（４）は、嵌合する各ローラーの内面との間隙を１ミリ程としてローラーを回動可能に支持するものであり、軸受け部（５）は、支持軸（６）を嵌着し易いように円形溝として欠成されている。
なお、支持片（４）の形状は突起した三角形となっているが、各ローラーを回動可能に支持できれば、支持片（４）の形状や突起の長さなどは限定されない。【００１１】  図３に示すように、支持軸（６）には、両端部の周縁を削成して段部ストッパー（７）が設けられており、先端部ローラー（１ｄ）と後端部ローラー（１ｅ）に、回動可能に軸通されている。
この支持軸（６）は、支持板（２）間に横架し軸受け部（５）に嵌着固定され、ローラー群（１）の回動を保持するとともに、移動体（Ａ）の横剛性を強め捩じれ性を防止するものであるが、軸受け部（５）に嵌着し固定する場合は、接着しても他の固定方法を用いてもよい。【００１２】  図４に示すように、容器部（８）と蓋体（９）からなる容器本体（Ｂ）は、ローラー群（１）を円滑に転動させるためと、その移動域を制限するために設けられたもので、この容器本体（Ｂ）により、ローラー群（１）の平坦な接地面による安定した転動と、過剰移動が阻止され安全性が確保される。【００１３】  容器部（８）には、その中央部に枠体（１０）を据えることにより、移動体（Ａ）を納置するスペース（１１、１２）が設けられ、その前壁と後壁に設けられた切欠部（１３ａ、１３ｂ、１３ｃ、１３ｄ）は、移動体（Ａ）に乗せた足を前後に動かした際、指先や踵が前壁と後壁に当たるのを避けるためと、容器本体（Ｂ）のコンパクト化を図るために設けられている。
また、枠体（１０）は、外周が平面な長方形からなり、納置された移動体（Ａ）の横触れ防止と支持板（２）外側との摺動を可能とするものであるが、容器部（８）と一体化させてもよい。【００１４】  蓋体（９）には、その上面に大きな開口部（１４、１５）が設けられているが、これらは、乗せた足の移動を妨げないよう上記した切欠部（１３ａ、１３ｂ、１３ｃ、１３ｄ）に整合させ、広範囲に欠成されたものである。
また、蓋体（９）は、移動体（Ａ）の着脱を可能にするとともに、容器本体（Ｂ）に冠着して外観を整える役もなしている。【００１５】  本発明は以上のような構成で、これを使用するときは、左右の移動体（Ａ）を容器本体（Ｂ）の中央部に揃え、ローラー群（１）の起伏に足裏の起伏を合わせるように乗り、上半身でバランスを取りながら足を動かしてマッサージを行なうものであるが、足の動かし方は３つに大別される。
（イ）膝を少し曲げて、両足を同時に前後へ小刻みに動かすことで、足裏がソフトにマッ      サージされる。
（ロ）膝を曲げずに、擦り歩くように大きく早く足を動かすことで、足裏が激しくマッサ      ージされる。
（ハ）片方の足に体重の大半を載せ、他方の足を支えにして足を前後に動かすことで、足      裏が強力に押圧される。
その他の使用例として、移動体（Ａ）単体を容器本体（Ｂ）から取り出し、平坦な床面などに置き、片方の足だけを動かして使用することができ、また、指先や側部などの各部分をローラー群（１）に押し付けて、その部分を重点的にマッサージすることもできる。
なお、使用の際に上半身でバランスが取り難い場合は、慣れるまで壁などに軽く手を添えるとよい。
【図面の簡単な説明】
【００１６】
【図１】本発明の全体斜視図
【図２】本発明の要部Ｃ−Ｃ断面図
【図３】本発明の要部分解斜視図
【図４】本発明の全体分解斜視図
【図５】公開されているピラミッド状に突起したローラーによる足裏押圧器を示した説明図
【符号の説明】
【００１７】  Ａ  移動体
Ｂ  容器本体
１  ローラー群
１ａ、１ｂ、１ｃ、１ｄ、１ｅ  ローラー
２  支持板
４  支持片
５  軸受け部
６  支持軸
８  容器部
１１、１２  スペース
【図１】
2010115459.tif 000003
【図２】
2010115459.tif 000004
【図３】
2010115459.tif 000005
【図４】
2010115459.tif 000006
【図５】
2010115459.tif 000007